(57)【要約】【課題】溝付き接触刃の耐久性に優れる形状とし、全体を簡易な構造とする。【解決手段】被覆電線４を保持する面が電線のひれ部を嵌入可能なように凹部２ａを形成した保持部２と、長手方向に凹溝を形成して、先端に平行な２本の刃先を有し、略Ｕ字形の形状とした接触刃６と、この接触刃の底面を押圧する電極９を先端に備え、前記可動ガイドを貫通する操作棒８と、この操作棒を上下動に駆動し、前記可動ガイドに連結し、後端に操作部を備えたねじ軸７とこのねじ軸を内装する把持部１４とを備え、前記ねじ軸の操作部を回転することにより保持部２と可動ガイドとによって被覆電線を把持し、操作棒を駆動することにより電極９と接触刃６とを駆動せしめ、把持した被覆電線４に接触刃６を食い込ませるようにした構成である。【選択図】  図１
2004235045.tif 000002
【特許請求の範囲】
【請求項１】
クランプ本体の被覆電線を保持する保持部に対向して可動ガイドを配設するとともにこの可動ガイド両側端の押さえ部の間に出入する接触刃を配設し、保持した被覆電線側に前記接触刃を駆動する駆動部材を把持部に内蔵してなる被覆貫通型クランプにおいて、
被覆電線を保持する面が電線のひれ部を嵌入可能なように凹部を形成した保持部と、
長手方向に凹溝を形成して、先端に平行な２本の刃先を有し、略Ｕ字形の形状とした接触刃と、
この接触刃の底面を先端で押圧し、前記可動ガイドを貫通する操作棒と、
この操作棒を上下動に駆動し、前記可動ガイドに連接する後端に操作部を備えたねじ軸と
このねじ軸を内装する把持部と、
を備え、前記ねじ軸の操作部を回転することにより可動ガイドをクランプ本体の保持部に接近、離反させ、この保持部と可動ガイドとによって被覆電線を把持し、このねじ軸による操作棒の駆動により電極と接触刃とを駆動せしめ、把持した被覆電線に接触刃を食い込ませるようにしたことを特徴とする被覆貫通型クランプ。
【請求項２】
被覆電線の両側に張り出したひれ部分を挿入可能な凹部を備える保持部と、
この保持部に対向して配置し、被覆電線を押えるガイド部を両側端に備え、前記保持部に対して近接、遠離する可動ガイドと、
この可動ガイドに連接し、上下動するねじ軸と、
長手方向に凹溝を形成して、先端に平行な２本の刃先を有し、略Ｕ字形の形状としてなり、前記可動ガイドのガイド部の間に出入する接触刃と、
この接触刃の底面を先端で押圧し、前記可動ガイドを貫通する操作棒と、
この操作棒を上下動に駆動し、前記可動ガイドに連接し、後端に操作部を備えたねじ軸と
このねじ軸を内装する把持部と、
前記ねじ軸の外周に、配置し絶縁体で形成したカラーと、
前記カラーと前記ねじ軸とを内装し、前記保持部を先端に備え、前記カラーに植立したキーを遊嵌して摺動自在にした長溝を備えたクランプ本体の筒状の把持部と、
を備え、前記ねじ軸の操作部を回転することにより可動ガイドをクランプ本体の保持部に接近、離反させ、接近したとき被覆電線を把持し、操作棒を駆動することにより電極と接触刃とを駆動せしめ、把持した被覆電線に接触刃を食い込ませるようにし、前記キーによってクランプ本体の回転防止がされていることを特徴とする被覆貫通型クランプ。
【請求項３】
前記接触刃の二枚の刃先に直交する外側面の刃先から底部に沿って緩やかな二段傾斜面を形成したことを特徴とする請求項１または請求項２に記載の被覆貫通型クランプ。
【発明の詳細な説明】
【０００１】
【発明が属する技術分野】
本発明は、活線状態の架空被覆電線等を把持してこの電線を貫通する接触刃を備えた被覆貫通型クランプに関する。
【０００２】
【従来の技術】
電線工事において、複数の電線を接続するときは、電線の被覆部分を剥ぎ取り、電線を露出して接続していた。しかし、被覆部分をその都度剥ぎ取る作業は煩雑であり、作業時間の無駄であった。また、皮はぎ工具を使用して電線導体を磨き接続させていた。そのため、この接続作業が問題であり、剥ぎ取り作業せずに電線を接触刃に接続するものが種々開発されている。
【０００３】
例えば、被覆電線を把持する保持部とこの保持部に対向して配置した基台とからなるクランプ本体の基台の螺子孔に螺合して上下動する螺子棒の先端に接触電極を配置し、この螺子棒をクランプ本体の下端に配置した連結棒を回転して螺子棒を上下動させ、基台に設けた把持部と前記保持部とにより電線を把持し、前記接触電極を移動させる接続クランプがある（特許文献１）。
クランプ装置において電線芯線と接触刃とを接触させるものとして、作業者によって回転させるトルクミッターを介在させてねじ式駆動部材を回転させ、接触刃を電線芯線に接触させる際に、ねじ駆動部材に伝達される回転トルクが所定値以上になったときにトルクミッターが空回りするものがある。この接触刃はクランプ保持部側に単一の指針の接触が配置され、上下動するねじし機駆動部材側には断面凹形の電線保持部材が記載されている（特許文献２）。
【０００４】
【特許文献１】特許第３３２４０２９号公報
【特許文献２】特開２００２―３０５８１７号公報
【０００５】
特許文献１の接触電極は円柱状に形成され、この上面に十字形状の凹溝を形成し、この凹溝の一辺に切削刃を形成し、この円柱状の接触電極を回転して（段落番号「００２４」参照）切削刃によって電線を剥ぎ取るものである。また、特許文献２に記載される接触電極は保持部側に配置し、この針状の接触電極を電線に差込むものである。
このように従来の接触電極は先端に配置される接触刃は複数の接触刃を貫通クランプは開発されているが、機構が複雑であり、接触刃の電線への接触が不安定であった。
【０００６】
【発明が解決しようとする課題】
本発明は、被覆電線の裸電線にする皮はぎ工程を必要とせず、簡易な構成によって電通させることができるものである。
本発明の課題は、簡易な構成による被覆貫通型クランプを提供することである。本発明の課題は溝付き接触刃の耐久性に優れる形状を備えたことを構成要件とする被覆貫通型クランプを提供することである。
【０００７】
【課題を解決するための手段】
本発明の前記課題は、以下の構成によって達成できる。
クランプ本体の被覆電線を保持する保持部に対向して可動ガイドを配設するとともにこの可動ガイド両側端の押さえ部の間に出入する接触刃を配設し、この接触刃を駆動する駆動部材を把持部に内蔵してなる被覆貫通型クランプにおいて、被覆電線を保持する面が電線のひれ部を嵌入可能なように凹部を形成した保持部と、長手方向に凹溝を形成して、先端に平行な２本の刃先を有し、略Ｕ字形の形状とした接触刃と、この接触刃の底面を先端で押圧し、前記可動ガイドを貫通する操作棒と、この操作棒を上下動に駆動し、前記可動ガイドに連接し、後端に操作部を備えたねじ軸とこのねじ軸を内装する把持部と、を備え、前記ねじ軸の操作部を回転することにより可動ガイドをクランプ本体の保持部に接近、離反させ、この保持部と可動ガイドとによって被覆電線を把持し、このねじ軸による操作棒の駆動被覆電線を把持し、操作棒を駆動することにより電極と接触刃とを駆動せしめ、把持した被覆電線に接触刃を食い込ませるようにしたことを特徴とする被覆貫通型クランプである。
【０００８】
また、前記課題は、被覆電線の両側に張り出たひれ部分を挿入可能な凹部を備える保持部と、この保持部に対向して配置し、被覆電線を押えるガイド部を両側端に備え、前記保持部に対して近接、遠離する可動ガイドと、この可動ガイドに連接し、上下動するねじ軸と、長手方向に凹溝を形成して、先端に平行な２本の刃先を有し、略Ｕ字形の形状としてなり、前記可動ガイドのガイド部の間に出入する接触刃と、この接触刃の底面を先端で押圧し、前記可動ガイドを貫通する操作棒と、この操作棒を上下動に駆動し、前記可動ガイドに連結し、後端に操作部を備えたねじ軸とこのねじ軸を内装する把持部と、ねじ軸に固着したキーが摺動する長溝を設け、前記ねじ軸の外周に、配置したカラーと、前記カラーと前記ねじ軸とを内装し、前記保持部を先端に備えたクランプ本体の筒状の把持部とを備え、前記ねじ軸の操作部を回転することにより可動ガイドをクランプ本体の保持部に接近、離反させ、接近したとき被覆電線を把持し、操作棒を駆動することにより電極と接触刃とを駆動せしめ、把持した被覆電線に接触刃を食い込ませるようにし、前記キーによってクランプ本体の回転が防止されている被覆貫通型クランプの構成により達成できる。
【０００９】
本発明の前記課題は、前記接触刃の両刃先の外側の先端から底部にかけて二段傾斜部を備えた構成、または前記ねじ軸と把持部との間には絶縁部材を配設した構成によって達成できる。
【００１０】
本発明は、確実に接触し、安定位置を保持することができる接触刃を備えた被覆貫通型クランプである。
特に、接触刃の凹溝部とクランプ本体の保持部のＲ部とにより被覆電線を確実に安定した位置に保持することが出来るばかりでなく、二枚の接触刃によって確実に安定して接触することができる。
【００１１】
【発明に実施の形態】
本発明の被覆貫通型クランプについて図面に示す実施形態に基づいて説明する。図１は本発明の被覆貫通型クランプの概要を説明する内部機構を示す概略側面図である。図２は本発明の被覆貫通型クランプの正面図である。図３は本発明被覆貫通型クランプに採用した接触刃の拡大斜視図である。図４は本発明の被覆貫通型クランプの被覆電線を把持した状態を示す要部拡大側面図である。図５は図４の把持部部分を示す拡大正面図である。図６は本発明被覆貫通型クランプの実施形態の底面図である。
【００１２】
図面に示されるように、クランプ本体１は上端の保持部２と下端の基台３とからなり、この保持部２は所定の厚みを有し、被覆電線４に接触する接面に凹部２ａが形成されており、基台３は前記保持部２に対向して配置され、この基台３にねじ孔が穿ってあり、ねじ軸７が螺合してある。
【００１３】
このクランプ本体１の内面の直線部分に沿って摺動し、中央部に矩形状の貫通孔を穿った可動ガイド５を配置し、この可動ガイド５の両側端に被覆電線４を下側から押圧するガイド５ａ，５ａを有する。この可動ガイド５の貫通孔内に出没する接触刃６が配置してある。この接触刃６は可動ガイド５を上下に駆動するねじ軸７の中央に貫通した操作棒８によって昇降するようになっており、この操作棒８の先端に配置した端子台１５によって前記接触刃６は押圧されるようになっている。９はボルト孔である。この接触刃６は中央部分に溝６ｄを有する断面Ｕ字形に形成された二枚の刃先６ａ、６ａを備え、この外側面において、この刃先６ａから底部６ｃにかけて二段傾斜６ｂになっており、刃は所定の厚さを備えている。
【００１４】
ねじ軸７はクランプ本体１の基台３のねじ孔に螺合し、このねじ軸７の下端の操作部７ａが配置してあり、この操作部７ａの後端は六角形になっており、工具と係合するようになっている。このねじ軸７と一体に形成したカラー１０が介在してあり、そのカラー１０には軸方向に平行な長溝１１ａを穿ってあり、その外側に外筒１１を配置し、ねじ軸７が回転自在に介装し、この長溝１１ａにはキー１２が挿入してあり、クランプ本体１の回転が防止されている。ねじ軸７と操作部７ａとの連結部分やカラー１０との間には絶縁材であるＦＲＰ１３が配置してある。
【００１５】
このように構成されている本発明の被覆貫通型クランプの取り扱い操作について説明する。
クランプ本体１の保持部２と基台３の可動ガイド５との間に被覆電線４を配置し、操作部７ａに工具を挿入して回転するとねじ軸７は回転して上昇せしめ、可動ガイド５のガイド５ａによって保持部２との間で確実に把持し、芯線位置を定め、ねじ軸７の上昇に伴って操作棒８を上昇させて端子台１５によって接触刃６を被覆電線４に真直ぐに食い込ませる。このとき接触刃６は回転しないからこの刃先６ａが芯線に確実に接触する。
【００１６】
ねじ軸７の操作部７ａの後端に工具を嵌合して回転してねじ軸７を回転させ、ねじ軸７を上昇させて可動ガイド５を保持部２側に移動させてガイド５ａによって被覆電線４を把持する。芯線の位置を確実に固定して端子台１５を移動させて接触刃６を電線に貫通させる。この時２枚の接触刃によって電線の芯線に接触する。
被覆電線４のひれ部分は接触刃６のＵ字溝６ｄ内に入るので邪魔にならず，芯線に刃先６ａが接触する。この接触刃６が二段傾斜６ｂを有するから被覆電線４に確実に喰い込む。
【００１７】
接触刃６が二枚刃になっているから強度があり、電極の長さもあるので損傷する恐れがない。接触刃６の形状により導体外形５ｍｍ〜導体サイズが太いもの、例えば、導体外形２００ｍｍ２ のものでも対応できる。接触刃６はＵ字型になっているから耐久性に優れる。
【００１８】
【発明の効果】
本発明の被覆貫通型クランプは接触刃が二枚刃になっているので、強度があり、二段形成であるから耐久性に優れる。しかも回転操作による外筒と内部ねじ軸との関係により確実に接触刃を上下動させることができる。電線のひれ部分は接触刃のＵ字溝内に入るので邪魔にならず，芯線に刃先が接触する。この接触刃が二段傾斜を有するから被覆電線に確実に喰い込む。
【図面の簡単な説明】
【図１】本発明の被覆貫通型クランプの概要を説明する内部機構を示す概略側面図である。
【図２】本発明の被覆貫通型クランプの正面図である。
【図３】本発明被覆貫通型クランプに採用した接触刃の拡大斜視図である。
【図４】本発明の被覆貫通型クランプの被覆電線を把持した状態を示す要部拡大側面図である。
【図５】図４の把持部部分を示す拡大正面図である。
【図６】本発明被覆貫通型クランプの実施形態の底面図である。
【符号の説明】
１  クランプ本体
２    保持部
３    基台
４    被覆電線
５    可動ガイド
６    接触刃
７    ねじ軸
８    操作棒
９    ボルト孔
１０  カラー
１１  外筒
１２  キー
１３  絶縁材（ＦＲＰ）
１４  把持部
１５  端子台
【図１】
2004235045.tif 000003
【図２】
2004235045.tif 000004
【図３】
2004235045.tif 000005
【図４】
2004235045.tif 000006
【図５】
2004235045.tif 000007
【図６】
2004235045.tif 000008